(57)【要約】【課題】負イオンを発生させ空気中に放出すると共に、正に帯電させることで多孔質状の消臭媒体自体の吸着力を向上させて消臭等を行う。【課題を解決するための手段】  空気中の臭気成分を含有した粒子を吸着する多孔質体を、高周波発生装置により正に帯電させて、負イオン発生装置から発生された負イオンが吸着した前記粒子と引き合わせることで迅速・確実に消臭等を行わせる。【選択図】図３
2005323846.tif 000002
【特許請求の範囲】
【請求項１】
空気中の臭気成分を含有した粒子を吸着する多孔質体と、
前記多孔質体を正に帯電させる高周波発生装置と、
負イオン発生装置とを備えることを特徴とする消臭脱臭装置。
【請求項２】
前記多孔質体は、木炭、活性炭、セラミック又はこれらの組合せのいずれか一つからなることを特徴とする請求項１に記載の消臭脱臭装置。
【請求項３】
前記負イオン発生装置は、オゾン発生装置であることを特徴とする請求項１又は２のいずれか一項に記載の消臭脱臭装置。
【発明の詳細な説明】
【技術分野】
【０００１】
本発明は消臭脱臭装置に係り、特に臭気成分を含有する粒子を帯電させ且つ吸着する消臭脱臭装置に関する。
【背景技術】
【０００２】
屋内の空気の清浄等を目的とするいわゆる空気清浄機では、不織布等の高密度化されたフィルタを介して空気を循環させるフィルタ式のものや、負イオンを放出して臭気成分を含有した粒子を帯電させて空気を循環消臭する電気式の空気清浄機が知られている。
【０００３】
特に電気式等の空気清浄機は、空気中に負イオンを散布して臭気成分を含有する粒子に吸着させることで負に帯電させ、空気清浄機等の本体内に備えられている正に帯電させた電極に吸着させる構成をとるものがある。これらの空気清浄機には消臭機能を付加するものもあり、消臭媒体としては主として活性炭等の多孔質体が用いられている。
【０００４】
多孔質体は、分子間力により空気中の臭気成分を含有する粒子等に対して特に高い吸着性を有する物質であるが、このような初期性能に優れる一方で、長期間使用すると孔が臭気成分を含有した粒子等で満たされて詰まると、逆に吸着した臭気を放出する特性があることから一定期間使用後は交換する必要がある。
【０００５】
このような多孔質体の特性に対し、例えば特許文献1では不織布で裏打ちされた活性炭繊維からなるシートが提供されている。前記活性炭繊維からなるシートはアース端子と接続されており、臭気成分を含有する粒子の正イオンと活性炭の負イオンが結合して生じる微小電流を逃がすことで負イオンの新陳代謝を活発にし、活性炭繊維のシートの吸着性を維持し寿命を延ばすこととされている。
【特許文献１】特開平１１−１７８６８５号公報
【発明の開示】
【発明が解決しようとする課題】
【０００６】
しかしながら、前記特許文献１においては、前記多孔質体の孔が粉塵や煙等の粒子で満たされると、負イオンにより集められた前記粒子等が多孔質体の内部に吸着されないことから、消臭力が著しく低下してしまうという問題を有している。
【０００７】
本発明は、上記問題に鑑みてなされたものであり、前記多孔質体自体を正に帯電させることで臭気成分を吸着させるとともに、多孔質体の詰まりを低減させて長期にわたり消臭脱臭を可能にする装置を提供することを目的とするものである。
【課題を解決するための手段】
【０００８】
上記課題を解決するために、請求項１に記載の発明は、空気中の臭気成分を含有した粒子を吸着する多孔質体と、前記多孔質体を正に帯電させる高周波発生装置と、負イオン発生装置とを備えることを特徴とする。
【０００９】
この発明によれば、前記多孔質体自身の分子間力に加えて、前記負イオン発生装置により発生した負イオンが臭気成分を含有する粒子に付着し、前記高周波発生装置により正に帯電された多孔質体と引き合うことから、多孔質体の孔に前記粒子が吸着保持されることで消臭される。
【００１０】
請求項２に記載の発明は、請求項１に記載の発明において、前記多孔質体は木炭、活性炭、セラミック又はこれらの組合せのいずれか一つからなることを特徴とする。
【００１１】
消臭媒体として発達した多孔質構造を有する上記物質を使用することで確実に消臭をすることができる。
【００１２】
請求項３に記載の発明は、請求項１又は２のいずれか一項に記載の発明において、前記負イオン発生装置がオゾン発生装置であることを特徴とする。
【００１３】
消臭装置から発生される負イオンが、酸化力が強く脱臭作用があるオゾンであることから脱臭を行うことが可能となり、更にこのオゾンが化学反応により多孔質体に吸着した臭気成分を分解することで、孔のつまりが防止されて多孔質体の吸着力を長期間維持する。
【発明の効果】
【００１４】
本発明によれば、前記消臭装置内に設けられた負イオン発生装置から発生する負イオンに吸着された臭気成分を含有する粒子が、前記消臭装置に設けられて正に帯電された多孔質体に確実に引き寄せられることから、空気の消臭を確実に行うことが可能となる。
【００１５】
更には、前記負イオンが酸化力に優れるオゾンであることで臭気成分の分解脱臭が可能となり、同時に前記オゾンが多孔質体に吸着された臭気成分をも分解脱臭することから、多孔質体の孔のつまりが防止される。このことからオゾンによる脱臭と多孔質体の分子間力の吸着との両方の作用により長期間にわたり好適な消臭脱臭が可能となる。
【発明を実施するための最良の形態】
【００１６】
以下、本発明を実施するための最良の形態について図を用いて説明する。
図１は、本発明に係る消臭脱臭装置が適用された空気清浄機１の概要を示したものである。また、前記空気清浄機１は本体前側から吸気する構成とされており、図１は空気清浄機１の前面に設けられる取り外し可能な保護カバー１３が取り外された状態を示す正面図である。図２は前記空気清浄機１の側断面図である。空気清浄機１には、正面が開放された筐体２が備えられており、この筐体２の前記開放された部分には、複数のスリットが設けられ空気の流通が可能とされた取外し可能な保護カバー１３が備えられている。筐体２の上面中途部には、下方に延在するフィルタ支持部９が形成されている。筐体２のフィルタ支持部の後方側上面には、排気口１０が形成されており、筐体２の下部には機器収納部１１が形成されている。
【００１７】
筐体２の前後方向中途部には、格子状に形成された支持部材３が取り付けられており、この支持部材３の後方には、焼結加工により平板状に形成された活性炭４が配設されている。なお、本実施の形態では消臭用の多孔質体として活性炭を採用しているが、木炭等の炭あるいはセラミック等を適用することもできる。
【００１８】
活性炭４には、前記機器収納部１１に配置された高周波発生装置６が導線７ａを介して接続されており、この高周波発生装置６から活性炭４に高周波を印加することにより活性炭４を正に帯電させることができるようになっている。
【００１９】
前記活性炭４の中央部分には、オゾンを発生させるオゾン発生装置８がその先端部を支持部材３より後方に突出するように取り付けられており、このオゾン発生装置８には、図示しない電源が導線７ｂを介して接続されている。本実施形態においては、放電式のオゾン発生装置として無声放電式のオゾン発生装置、あるいは電気分解式や紫外線式のオゾン発生装置を用いることもできる。
【００２０】
また筐体２の前記フィルタ支持部９には、集塵用のフィルタ５が活性炭５の後方に位置するように配設されている。前記フィルタ５には、集塵性に優れるＨＥＰＡフィルタ（Ｈｉｇｈ  Ｅｆｆｉｃｉｅｎｃｙ  Ｐａｒｔｉｃｕｌａｔｅ  Ａｉｒ  Ｆｉｌｔｅｒ）が用いられている。なお、集塵を目的とするものであればフェルト等の圧縮された不織布を用いることもできる。
【００２１】
次に、本実施の形態の作用について述べる。
高周波発生装置６の作動により発生した高周波が、導線７ａを介して平板状に形成された活性炭４に流れて前記活性炭４全体が正に帯電される。
【００２２】
図３は本実施の形態の作動状態の要部を示した模式図である。前記筐体２の背面の空気中に拡散したオゾンは負に帯電した負イオンであり、また空気中に拡散する粉塵やタバコの煙等の臭気成分を含有した粒子１２は正に帯電していることから、両者の引き合いにより前記オゾンは前記粒子１２に吸着する。オゾンは高い酸化力により脱臭に優れるため、前記臭気成分はオゾンに吸着された段階で一定の脱臭がなされる。具体的には、例えばアンモニア（ＮＨ3）や、ホルムアルデヒド（ＨＣＨＯ）等の臭気成分は、以下の化学反応式に示すように無臭気成分に分解されるようになっている。
ＮＨ3  …  ４Ｏ3+２ＮＨ3→ＮＨ4ＮＯ2+Ｈ2Ｏ+４Ｏ2＋（１／２）Ｏ２
ＨＣＨＯ  …  Ｏ3+ＨＣＨＯ→ＨＣＯ2Ｈ＋Ｏ２
【００２３】
更に、前記オゾンは前記粒子１２に吸着して脱臭しつつ活性炭４へと引き寄せられる。即ち、負イオンであるオゾンが活性炭４に帯電した正の電荷と引き合い、更には活性炭4の多孔質構造が有する分子間力も加わり、粒子１２を活性炭４に確実に吸着させることとなる。
【００２４】
また、活性炭４のような多孔質体は、孔が臭気成分を含有する粒子１２で満たされて詰まると分子間力が低下してしまい、反対に臭気成分を含有する粒子が放出されるという性質を有する。このため結果的に臭気を発生させる根源となる活性炭は、定期的に交換する必要があった。この点本実施の形態では、空気中で化学反応がされずに、活性炭４の正の電荷に引き寄せられたオゾン等が、すでに孔内に吸着されている臭気成分を化学反応により無臭気成分に分解するため、活性炭４自体の脱臭が行われることとなる。
【００２５】
このようにして、オゾン発生装置８から発生したオゾンと活性炭４によって消臭及び脱臭がなされた空気は、フィルタ５を透過して気体排出口１０から空気清浄機１の外部に排出される。
【００２６】
以上のように、本実施の形態によれば、活性炭４の分子間力に加えて活性炭４自体にオゾンと逆の正の電荷を帯電させるため、臭気成分を含有する粒子１２を確実に吸着させることができ、従来からのオゾン脱臭機又は活性炭だけによる消臭又は脱臭機よりも一層の消臭・脱臭効果を実現することができる。
【００２７】
また、オゾンが活性炭４の孔内に詰まった臭気成分を化学反応により無臭気成分に分解することで活性炭４の分子間力を維持することができ、従来一定期間で寿命になり交換を必要としていた活性炭の長期的な使用を可能にするという効果を得ることができる。
【００２８】
以上本発明を適用した実施の形態について説明したが、本発明は本実施の形態に限定されるものではない。
【図面の簡単な説明】
【００２９】
【図１】本発明の実施の形態における空気清浄機の構成の概要を示した正面図である。
【図２】本発明の実施の形態における空気清浄機の構成の概要を示した側断面図である。
【図３】本発明の実施の形態における作動状態を示した模式図である。
【符号の説明】
【００３０】
１  空気清浄機
２  筐体
３  支持部材
４  活性炭
５  フィルタ
６  高周波発生装置
７ａ、７ｂ  導線
８  オゾン発生装置
９  フィルタ支持部
１０  気体排出口
１１  機器収納部
１２  臭気成分を含有する粒子
１３  保護カバー
【図１】
2005323846.tif 000003
【図２】
2005323846.tif 000004
【図３】
2005323846.tif 000005